(57)【要約】【課題】  本発明は、簡単な構造のキートップおよびベースプレートでキートップの組違いを容易に防止することができるキーボード装置およびこの組立方法を提供すること。【解決手段】  第１キートップ４上部支持部４ｄ〜４ｇは、第２キートップ５の上部支持部５ｄ〜５ｇに対して縦方向に所定寸法位置ズレさせて形成し、ベースプレート７は、第１キートップ４を支持可能な第１下方支持部８を第１キートップ４の上方支持部４ｄ〜４ｇの位置ズレに対応して形成すると共に、第２キートップ５を支持可能な第２下方支持部９を第２キートップ５の上方支持部５ｄ〜５ｇの位置ズレに対応して形成した。【選択図】        図２
2005251085.tif 000002
【特許請求の範囲】
【請求項１】
複数のキートップと、このキートップを昇降可能に所定位置に支持するリンク部材と、このリンク部材を介して前記キートップを支持可能なベースプレートとを備え、前記キートップは、外形の一部が異なる第１、第２キートップの少なくとも２種類がからなり、この２種類の前記キートップは、前記ベースプレートと対向する裏面側の天井面に前記リンク部材の一端部側を支持可能な上方支持部を形成し、前記第２キートップの前記上方支持部は、前記第１キートップの前記上方支持部に対して所定寸法位置ズレして形成され、
前記ベースプレートには、前記リンク部材の他端部側を支持可能な下方支持部が形成され、この下方支持部は、前記第１キートップの前記上方支持部を支持して前記所定位置である正規位置に前記第１キートップを支持可能な第１下方支持部と、前記第２キートップの前記位置ズレした前記上方支持部を支持して前記正規位置に前記第２キートップを支持可能な第２下方支持部とが形成され、
前記第１下方支持部に前記第２キートップ、または前記第２下方支持部に前記第１キートップを組み付ける組み違いをした場合は、組み違いをした前記第１または第２キートップが前記正規位置から位置ズレするようにしたことを特徴とするキーボード装置。
【請求項２】
前記第１、第２キートップは、左右の横方向に隣り合って配置され、前記第１、第２キートップの前記上方支持部は、縦方向に位置ズレして形成され、前記第１または第２キートップを前記組み違いをしたときは、この組み違いをした前記第１または第２キートップが縦方向に前記位置ズレすることを特徴とする請求項１記載のキーボード装置。
【請求項３】
前記第１キートップには、前記天井面の一方側から前記ベースプレート側に略垂直状に突出する一方の外周壁が形成され、この一方の外周壁と前記上方支持部との間に所定の幅寸法の凹部を形成し、前記ベースプレートは、少なくとも前記第１下方支持部近傍に前記凹部に侵入可能な凸部を形成し、前記第１下方支持部に支持した前記第１キートップを押し下げ操作したときに、前記凸部が前記凹部に侵入するようにしたことを特徴とする請求項１または２記載のキーボード装置。
【請求項４】
請求項１乃至３のいずれか１項に記載のキーボード装置において、前記ベースプレートの前記第１下方支持部に支持した前記リンク部材に前記第１キートップの前記上方支持部を位置合わせすると共に、前記ベースプレートの前記第２下方支持部に支持した前記リンク部材に前記第２キートップの前記上方支持部を位置合わせして、前記第１、第２キートップに押圧荷重を加えて押し下げると、左右の横方向に隣り合う前記第１、第２キートップが整列配置されて組み立てられることを特徴とするキーボード装置の組立方法。
【請求項５】
前記第１キートップを前記押し下げると、少なくとも前記第１下方支持部近傍に形成した凸部が前記第１キートップに形成した凹部に侵入して、前記第１下方支持部に前記第１キートップが組み付けされることを特徴とする請求項４記載のキーボード装置の組立方法。
【発明の詳細な説明】
【技術分野】
【０００１】
本発明はキーボード装置およびこの組立方法に係わり、特に、種類の異なるキートップの組違いを防止することができるキーボード装置およびこの組立方法に関する。
【背景技術】
【０００２】
従来のキーボード装置を、特許文献１記載のもので、図９に基づいて説明すると、上部側に配設したキートップ５２には、長方形の天板５３と、この天板５３の周縁から下方に延びる側壁５４と、この側壁５４の一端部側から更に下方に延びる上部コード部５５とが形成されている。
【０００３】
また、上部コード部５５は、横方向に４分割されて、それぞれビット５５ａ、５５ｂ、５５ｃ、５５ｄが形成され、両端のビット５５ａおよび５５ｄが下方に向けて凸部を形成し、中間のビット１５ｂ、１５ｃが凹部を形成し、これによって、キートップの種類により定められた凸部と凹部との組み合わせからなるキートップ側種別コードが形成されている。
また、キートップ５２下部には、ベースプレート６０と、このベースプレート６０上に載置されてキートップ５２を上方に弾性付勢するゴムスプリング（図示せず）が配設されている。
【０００４】
また、キートップ５２の上部コード部５５と対向する位置に、上方に延びる下部コード部６１が形成されている。前記下部コード部６１は、上部コード部５５と同様に横方向に４分割され、ビット６１ａ、６１ｂ、６１ｃ、６１ｄが形成されている。そして、両端のビット６１ａ、および６１ｄが、上部コード部５５の凸部からなるビット５５ａ、５５ｄと対応する凹部に形成され、中央部のビット６ｂ、６１ｃが上部ビット５５の凹部からなるビット５５ｂ、５５ｃと対応する凸部に形成されている。
【０００５】
また、キートップ５２は、ゴムスプリング（図示せず）に載置して所定量押し込むことで、キートップ５２に形成した爪部（図示せず）がベースプレート６０に形成した爪受孔（図示せず）に係合支持される。
このことにより、キートップ５２が昇降自在にベースプレート６０に支持されるととに、キートップ５２を最下端まで押し込むことで、ベースプレート６０側に形成したメンブレンスイッチ（図示せず）が押し込まれてスイッチ回路が切り換わるようになっている。
また、キートップ５２の押圧を解除すると、ゴムスプリングの付勢力でキートップ５２が初期位置まで上昇する。  
【０００６】
このような従来のキーボード装置５１の組立方法は、ベースプレート６０に取り付けたゴムスプリング（図示せず）上にキートップ５２を載置して下方に押し込む。すると、爪部が爪受孔に係合すると共に、上部コード部５５の凸ビット５５ａ、５５ｄが、下部コード部６１の凹ビット６１ａ、６１ｄに挿入され、下部コード部６１の凸ビット６１ｂ、６１ｃが、上部コード５５の凹ビット５５ｂ、５５ｃに挿入されて、キートップ５２の降下を押し込みを妨害しない。
同時に、爪部が爪受孔に係合して、ベースプレート６０に昇降自在にキートップ５２が組み付けされる。
【０００７】
また、キートップ５２の種類が、例えば、上部コード部５５の両端のビット５５ａおよび５５ｄが凹部を形成し、中間のビット１５ｂ、１５ｃが凸部を形成した異なる種類のものを、誤って組み違えた場合には、上部コード部５５が下部コード部６１にぶつかって、キートップ５２を下方のメンブレンスイッチまで押し下げることができず、スイッチ操作ができないようになっている。
【特許文献１】特開２０００−１１２６２０号公報
【発明の開示】
【発明が解決しようとする課題】
【０００８】
しかし、従来のキーボード装置５１およびこの組立方法は、種類の異なるキートップ５２を誤って組み違えた場合に、種類の異なるキートップ５２の外観形状が似通っていると、一目で組み違いを発見するのが難しく、組み違いした不良品のままで出荷されるおそれがあった。
また、種類の異なるキートップ５２に、４分割されたビットからなる上部コード部５５をそれぞれ形成し、この上部コード部５５が対向するベースプレート６０の全ての位置に、４分割されたビットからなる下部コード部６１を突出形成していたので、キートップ５２およびベースプレート６０の構造が複雑となり、コストアップになる問題があった。
本発明は前述したような課題を解決して、簡単な構造のキートップおよびベースプレートでキートップの組違いを容易に発見および防止することができるキーボード装置およびこの組立方法を提供することを目的とする。
【課題を解決するための手段】
【０００９】
前記課題を解決するための第１の手段として本発明のキーボード装置は、複数のキートップと、このキートップを昇降可能に所定位置に支持するリンク部材と、このリンク部材を介して前記キートップを支持可能なベースプレートとを備え、前記キートップは、外形の一部が異なる第１、第２キートップの少なくとも２種類がからなり、この２種類の前記キートップは、前記ベースプレートと対向する裏面側の天井面に前記リンク部材の一端部側を支持可能な上方支持部を形成し、前記第２キートップの前記上方支持部は、前記第１キートップの前記上方支持部に対して所定寸法位置ズレして形成され、前記ベースプレートには、前記リンク部材の他端部側を支持可能な下方支持部が形成され、この下方支持部は、前記第１キートップの前記上方支持部を支持して前記所定位置である正規位置に前記第１キートップを支持可能な第１下方支持部と、前記第２キートップの前記位置ズレした前記上方支持部を支持して前記正規位置に前記第２キートップを支持可能な第２下方支持部とが形成され、前記第１下方支持部に前記第２キートップ、または前記第２下方支持部に前記第１キートップを組み付ける組み違いをした場合は、組み違いをした前記第１または第２キートップが前記正規位置から位置ズレするようにしたことを特徴とする。
【００１０】
また、前記課題を解決するための第２の手段として、前記第１、第２キートップは、左右の横方向に隣り合って配置され、前記第１、第２キートップの前記上方支持部は、縦方向に位置ズレして形成され、前記第１または第２キートップを前記組み違いをしたときは、この組み違いをした前記第１または第２キートップが縦方向に前記位置ズレすることを特徴とする。
【００１１】
また、前記課題を解決するための第３の手段として、前記第１キートップには、前記天井面の一方側から前記ベースプレート側に略垂直状に突出する一方の外周壁が形成され、この一方の外周壁と前記上方支持部との間に所定の幅寸法の凹部を形成し、前記ベースプレートは、少なくとも前記第１下方支持部近傍に前記凹部に侵入可能な凸部を形成し、前記第１下方支持部に支持した前記第１キートップを押し下げ操作したときに、前記凸部が前記凹部に侵入するようにしたことを特徴とする。
【００１２】
また、前記課題を解決するための第４の手段として本発明のキーボード装置の組立方法は、請求項１乃至３のいずれか１項に記載のキーボード装置において、前記ベースプレートの前記第１下方支持部に支持した前記リンク部材に前記第１キートップの前記上方支持部を位置合わせすると共に、前記ベースプレートの前記第２下方支持部に支持した前記リンク部材に前記第２キートップの前記上方支持部を位置合わせして、前記第１、第２キートップに押圧荷重を加えて押し下げると、左右の横方向に隣り合う前記第１、第２キートップが整列配置されて組み立てられることを特徴とする。
【００１３】
また、前記課題を解決するための第５の手段として、前記第１キートップを前記押し下げると、少なくとも前記第１下方支持部近傍に形成した凸部が前記第１キートップに形成した凹部に侵入して、前記第１下方支持部に前記第１キートップが組み付けされることを特徴とす。
【発明の効果】
【００１４】
本発明のキーボード装置において、第１下方支持部に第２キートップ、または第２下方支持部に第１キートップを組み付ける組み違いをした場合は、組み違いをした第１または第２キートップが正規位置から位置ズレするようにしたので、キートップの組み違いを容易に発見して修正することができる。
また、従来のキートップおよびベースプレートに形成した横方向に４分割されたビットが不要となり、キートップおよびベースプレートの製造が容易でコストダウンが可能になる。
【００１５】
また、第１、第２キートップは、左右の横方向に隣り合って配置され、第１、第２キートップの上方支持部は、縦方向に位置ズレして形成され、第１または第２キートップを組み違いをしたときは、この組み違いをした第１または第２キートップが縦方向に位置ズレするので、更にキートップの組み違いを容易に発見できる。
【００１６】
また、第１下方支持部に支持した第１キートップを押し下げ操作したときに、凸部が凹部に侵入するようにしたので、組み違いをして第１下方支持部に第２キートップを組み付けようとしても、凸部が邪魔になって第２キートップを第１下方支持部に組み付けるような組み違いを事前に防止することができる。
【００１７】
また、本発明のキーボード装置の組立方法は、請求項１乃至３のいずれか１項に記載のキーボード装置において、ベースプレートの第１下方支持部に支持したリンク部材に第１キートップの上方支持部を位置合わせすると共に、ベースプレートの第２下方支持部に支持したリンク部材に第２キートップの上方支持部を位置合わせして、第１、第２キートップに押圧荷重を加えて押し下げると、左右の横方向に隣り合う第１、第２キートップが整列配置されて組み立てられるので、異なる種類のキートップを組み違いなく組み立てることができる。
【００１８】
また、第１キートップを押し下げると、少なくとも第１下方支持部近傍に形成した凸部が第１キートップに形成した凹部に侵入して、第１下方支持部に第１キートップが組み付けされるので、第１下方支持部に第２キートップを組み付ける組み違いをしたとしても、凸部が邪魔になって第２キートップを第１下方支持部に組み付けような組み違いを事前に防止することができる。
【発明を実施するための最良の形態】
【００１９】
以下、図面に基づいて本発明の実施の形態について説明する。まず、図１は本発明に関するキーボード装置の平面図であり、図２は本発明に係わる第１キートップの下面図であり、図３の本発明に係わる第２キートップの下面図であり、図４は本発明に係わるベースプレートの部分拡大図であり、図５は発明に係わる第２キートップの組立を説明する側面図であり、図６は本発明に係わる第１キートップの組み間違いを説明する側面図であり、図７は本発明に係わる第１キートップの組立を説明する側面図であり、図８は本発明に係わる第２キートップの組み間違いを説明する側面図である。
【００２０】
まず、本発明の実施の形態のキーボード装置１は、図１に示すように、異なる種類の複数のキートップ２が所定位置にそれぞれ整列配置されている。
前記複数のキートップ２は、横長状のスペースキー２ａや、略正方形に形成された文字入力キーである、複数の第１、第２キートップ４、５が、前後左右に隣り合って整列配置されている。
そして、文字入力キーは、少なくとも２個のホームポジションキーＦ、Ｊからなる第１キートップ４と、この２個の第１キートップ４以外の複数のノーマルキーＧ、Ｈ、Ｂ等からなる第２キートップ５とを有している。
【００２１】
前記第１キートップ４は、図２の下面図に示すように、矩形状の天井面４ａを底面とし、この天井面４ａの４面の外周部に外周壁４ｂ、４ｃが形成されて略椀状に形成されている。
そして、図示上部側の一方の外周壁４ｂは、紙面に対して略垂直に形成されると共に、一方の外周面４ｂ以外の３つの外周壁４ｃは、斜めにスカート状に形成されている。即ち、一方の外周壁４ｂは、図１に示す状態のおいて、後述するベースプレート７側に略垂直状に突出形成されている。
【００２２】
また、へこみ形成された天上面４ａには、上方支持部４ｄ〜４ｇが４箇所に形成され、この上方支持部４ｄ〜４ｇに、図５〜図８に示すような複数のリンク部材６の一端部側がスライド自在に支持可能になっている。
また、図示上下方向に対向形成された一対の上部支持部４ｄ、４ｆは、寸法Ａの間隔をもって形成され、寸法Ａの略中央部には、３本の凸壁を６０°間隔で交叉させて６方向に所定寸法で延るラバー支持部４ｈが形成されている。
前記ラバー支持部４ｈには、ラバースプリンブ（図示せず）が支持可能になっており、ラバースプリングによって第１キートップ４が後述するベースプレート７から離れる方向の上方に弾性付勢されている。
【００２３】
また、一方の外周壁４ｂの内面から図示上方の一方の上部支持部４ｄの支持面までが寸法Ｂで形成されている。
そして、一方の外周壁４ｂと一方の上部支持部４ｄとの間には、所定の幅寸法である幅寸法Ｃの凹部４ｊが形成されている。
このようなホームポジションキーからなる第１キートップ４は、上面にすじ状の突部からなる指先検出部が形成されているので、ホームポジションキーである第１キートップ４を、操作者の指先で容易に検出することができる。
また、ノーマルキーからなる第２キートップ５は、第１キートップ４の指先検出部がないだけで、外形は第１キートップ４と同じに形成されている。
【００２４】
このような第２キートップ５は、図３の下面図に示すように、第１キートップ４と略同じに形成さた略矩形状の天井面５ａを有し、この天井面５ａに一方の外周壁５ｂと他方の外周壁５ｃとが形成され、天井面５ａの４箇所に上方支持部５ｄ〜５ｇが形成されている。
この上方支持部５ｄ〜５ｇに、複数のリンク部材６の一端部側がスライド自在に支持可能になっている。
【００２５】
そして、互いに対向する一対の上部支持部５ｄ、５ｆは、第１キートップ４と同じように、寸法Ａの間隔をもって形成され、寸法Ａの略中央部には、第１キートップ４と同様なラバー支持部５ｈが形成されて、ラバースプリング（図示せず）を支持可能になっている。
また、図示上部側の一方の外周壁５ｂの内面から一方の上部支持部５ｄの支持面までが、第１キートップ４の寸法Ｂより小さな寸法Ｄで形成され、一方の外周壁５ｂと一方の上部支持部５ｄとの間に、第１キートップ４の寸法Ｃより小さい寸法Ｅの凹部５ｊが形成されている。
即ち、第１キートップ５の上方支持部５ｄ〜５ｇは、第１キートップ４の上方支持部４ｄ〜４ｇに対して所定寸法（Ｂ−Ｄ）、図示上下方向の縦方向に位置ズレして形成されている。
【００２６】
また、図１に示すように、複数のキートップ２と対向する下方側には、複数のキートップ２を載置可能な面積の大きな金属板からなるベースプレート７が配設され、このベースプレート７上には、フィルム状の後述するメンブレンシート１１が載置されている。
前記ベースプレート７には、リンク部材６の他端部側を回動自在に支持可能な下方支持部が形成され、この下方支持部は、図４に示すように、第１キートップ４の上方支持部４ｄ〜４ｇをリンク部材６を介して支持して、所定位置である正規位置に第１キートップ４を支持可能な第１下方支持部８が６箇所に切り起こし形成されている。
【００２７】
この６箇所の第１下方支持部８は、それぞれ支持孔８ａが形成されて、リンク部材６の下端部側を回動自在に支持可能になっている。
そして、６箇所の第１下方支持部８に支持したリンク部材６を介して、ホームポジションキーである第１キートップ４を正規位置に支持可能になっている。
【００２８】
また、６箇所の第１下方支持部８が形成された領域の図示左となりには、第２キートップ５の上方支持部５ｄ〜５ｇをリンク部材６を介して支持して、所定位置である正規位置に第２キートップ５を支持可能な第２下方支持部９が６箇所に切り起こし形成されている。
また、第２下方支持部９のそれぞれには、第１下方支持部８と同じように、それぞれ支持孔９ａが形成されている。
そして、第２下方支持部９に、ノーマルキーである第２キートップ５を正規位置に支持可能になっている。
また、互いに隣り合う第１、第２下方支持部８、９は、第１、第２キートップ４、５の上方支持部４ｄ〜４ｇ、５ｄ〜５ｇの位置ズレに対応して、寸法Ｇの位置ズレをさせて形成されている。即ち、Ｂ−Ｄ＝Ｇの関係になっている。
【００２９】
また、図４に示す第１下方支持部８近傍の図示上部側には、ベースプレート７を切り起こして所定高さの凸部１０が形成され、この凸部１０が、第１下方支持部８に組み付けした第１キートップ４の凹部４ｊに侵入するようになっている。  また、ベースプレート７の上面に載置するメンブレンシート１１は、フィルムシートを複数枚積層し、それぞれのキートップ２に対応する位置に、それぞれスイッチ回路が形成されている。
前記スイッチ回路を形成した部分のメンブレンシート１１には、内部が空洞でドーム状に形成されたラバースプリング（図示せず）が接着剤等で固着されている。そして、キートップ２を押し下げ操作すると、ラバースプリングが弾性変形してメンブレンシート１１を押圧し、スイッチ回路が切り換わるようになっている。
【００３０】
このような構成の本発明のキーボード装置１の組立方法は、まず、複数のスイッチ回路に対応する位置に、それぞれラバースプリングを固着したメンブレンシート１１をベースプレート７上に載置する。
すると、複数の第１、第２下方支持部８、９がメンブレンシート１１から上方に突出する。次ぎに、それぞれの第１、第２下方支持部８、９の支持孔８ａ、９ａにリンク部材６の下端部側を挿入してリンク部材６をベースプレート７に支持する。
【００３１】
その後、第１下方支持部８に支持したリンク部材６の上から第１キートップ４を位置合わせして載置すると共に、第２下方支持部８、９に支持したリンク部材６の上から第２キートップ５を位置合わせして載置する。
そして、例えば押圧治具（図示せず）等で、複数のキートップ２を下方に押圧すると、それぞれの上方支持部４ｄ〜４ｇ、５ｄ〜５ｇにリンク部材６の一端部側である上端側が同時にスナップインされて、複数のキートップ２がリンク部材６を介してベースプレート７に組み付けされる。
その後、押圧治具による押圧を解除すると、それぞれのキートップ２は、ゴムスプリングの付勢力で、リンク部材６に支持された所定高さまで上昇して、正規位置に組み付けされる。
このように、正規位置に組み付けされた第１、第２キートップ４、５は、横方向に直線状に延びる基準線Ｆに沿って整列されて、本発明のキーボード装置１が組立されている。
【００３２】
また、本発明のキーボード装置１は、組立時に第１下方支持部８上に第１キートップ４を載置して押圧治具で押圧すると、図５に示すように、第１キートップ４の凹部４ｊに凸部１０が侵入して、第１キートップ４が正規位置に位置して正常な組立が行われ、一方の外周壁４ｂが基準線Ｆに沿って組立される。
しかし、組立時に誤って、第１下方支持部８に第２キートップ５を位置合わせした場合は、図６に示すように、第２キートップ５は、基準線Ｆに対して寸法Ｇ図示左方向に位置ズレする。
この位置ズレした状態の第２キートップ５を押圧治具でベースプレート７側に押圧しても、一方の外周壁５ｂがベースプレート７の凸部１０にぶつかって、それ以上第２キートップ５が降下せず、第１下方支持部８に第２キートップ５を組み付けできないようになっている。
そのために、第１下方支持部８に誤って第２キートップ５が組み付けされるような組み違いを事前に防止することができる。
【００３３】
また、図７に示すように、第２下方支持部９に組み付けされて正規位置に位置する第２キートップ５は、一方の外周壁５ｂが基準線Ｆに沿って組立される。しかし、組立時に誤って、図８に示すように、第２下方支持部９に第１キートップ４を組み付けた場合は、図６に示すように、第１キートップ４は、基準線Ｆに対して寸法Ｇ図示右方向に位置ズレした状態で組立される。
【００３４】
このような組み違いされた第２キートップ５は、基準線Ｆに対して寸法Ｇズレが発生するので、目視で確認することができ組み違いを容易に発見することができる。また、第２キートップ５に組み違いによって発生する位置ズレ寸法Ｇを大きくすることによって、図１に示す縦方向（図示前後方向）に隣り合うキートップ２がぶつかって、組み違いを事前に防止することも可能である。
【００３５】
そして、図１に示すように組立された本発明のキーボード装置１は、所望のキートップ２をラバースプリングの付勢力に抗して押し込み操作することにより、メンブレンシート８のスイッチ回路が切り換わって、例えばパソコン側に所望の文字等が入力されて、ディスプレー上に表示されるようになっている。
【００３６】
尚、本発明の実施の形態では、第１キートップ４の一方の外周壁４ｂから上方支持部４ｄまでの寸法Ｂが、第２キートップ５の一方の外周壁５ｂから上方支持部５ｄまでの寸法Ｄより大きくなるように、縦方向に互いに位置ズレさせて形成したもので説明したが、第１キートップ４の一方の外周壁４ｂから上方支持部４ｄまでの寸法が、第２キートップ５の一方の外周壁５ｂから上方支持部５ｄまでの寸法より小さくなるように互いに位置ズレさせたものでも良い。
即ち、第１キートップ４の上方支持部４ｄは、少なくとも第２キートップ５の上方支持部５ｄよりも一方の外周壁４ｂからの寸法が大きくなる方向に位置ズレさせて形成されている。
【００３７】
また、ベースプレート７側の凸部１０を第１下方支持部８近傍側だけに形成したもので説明したが、第２下方支持部９近傍にも、第２キートップ５の凹部５ｊに侵入可能な凸部１０を形成しても良い。
即ち、ベースプレート７には、少なくとも第１下方支持部８近傍に凹部４ｊに侵入可能な凸部１０を形成したものである。
また、本発明の実施の形態では、キートップ２を文字入力用の第１、第２キートップ４、５で説明したが、スペースキー等の横長のキートップに実施することも可能である。
【図面の簡単な説明】
【００３８】
【図１】本発明に関するキーボード装置の平面図である。
【図２】本発明に係わる第１キートップの下面図である。
【図３】本発明に係わる第２キートップの下面図である。
【図４】本発明に係わるベースプレートの部分拡大図である。
【図５】発明に係わる第１キートップの組立を説明する側面図である。
【図６】本発明に係わる第２キートップの組み間違いを説明する側面図である。
【図７】本発明に係わる第２キートップの組立を説明する側面図である。
【図８】本発明に係わる第１キートップの組み間違いを説明する側面図である。
【図９】従来のキーボード装置の概略図である。
【符号の説明】
【００３９】
１  本発明のキーボード装置
２  キートップ
２ａ  スペースキー
４  第１キートップ
４ａ  天井面
４ｂ  一方の外周壁
４ｃ  他方の外周壁  
４ｄ〜４ｇ  上方支持部
４ｈ  ラバー支持部
４ｊ  凹部
５  第２キートップ
５ａ  天井面
５ｂ  一方の外周壁
５ｃ  他方の外周壁  
５ｄ〜５ｇ  上方支持部
５ｈ  ラバー支持部
５ｊ  凹部
６  リンク部材
７  ベースプレート
８  第１下方支持部
８ａ  支持孔
９  第２下方支持部
９ａ  支持孔
１０  突部
Ｆ  基準線
【図１】
2005251085.tif 000003
【図２】
2005251085.tif 000004
【図３】
2005251085.tif 000005
【図４】
2005251085.tif 000006
【図５】
2005251085.tif 000007
【図６】
2005251085.tif 000008
【図７】
2005251085.tif 000009
【図８】
2005251085.tif 000010
【図９】
2005251085.tif 000011